(57)【要約】【課題】電源や配線のメンテナンス性を向上し得るＬＥＤ照明器具を提供すること。【解決手段】ＬＥＤ照明器具１０の収納部４５は本体ケース２０の照明光を出射する側に形成されており、ＬＥＤ電源装置８０および渡り配線９０を収納可能である。ＬＥＤ照明器具の使用時は、反射板４０によって収納部４５は塞がれる。ＬＥＤ電源装置８０と渡り配線９０の修理や交換等の作業を行うときは、収納部４５から反射板４０を取り外すことによって、ＬＥＤ照明器具１０を天井の取付面１００から取り外すことなくＬＥＤ電源装置８０と渡り配線９０にアクセス可能とすることができるため、ＬＥＤ照明器具１０のメンテナンス性が改善される。【選択図】図２
2016033858.tif 000002
【特許請求の範囲】
【請求項１】
天井または壁の取付面に取り付けられる長尺状のＬＥＤ照明器具であり、複数のＬＥＤが長手方向に沿って列状に配置されるＬＥＤ照明器具であって、
湾曲形状をなす端部形状が一端側から他端側まで連続して形成され、着脱可能に設けられた反射板を有する本体部と、
前記複数のＬＥＤが実装される基板を備え、前記ＬＥＤが前記反射板に向けて照明光を出射する発光部と、
外部から供給される電力を前記複数のＬＥＤを点灯させる駆動電力に変換して前記発光部に供給する電源部と、
外部の他の装置に接続され、前記外部から供給される電力を当該装置に供給する渡り配線と、
前記本体部の照明光を出射する側に開口して設けられ、前記渡り配線を収納可能であり、前記反射板によってその開口が覆われる収納部と、
を備えることを特徴とするＬＥＤ照明器具。
【請求項２】
天井または壁の取付面に取り付けられる長尺状のＬＥＤ照明器具であり、複数のＬＥＤが長手方向に沿って列状に配置されるＬＥＤ照明器具であって、
湾曲形状をなす端部形状が一端側から他端側まで連続して形成されて長手方向に沿って２列に並んで前記取付面の反対側に向けて少なくとも一方が着脱可能に設けられた反射板を有する本体部と、
前記複数のＬＥＤが実装される基板を複数備え、これらの基板のうち、一部の基板のＬＥＤが前記２列の反射板の一方に向けて照明光を出射し、残部の基板のＬＥＤが前記２列の反射板の他方に向けて照明光を出射する発光部と、
外部から供給される電力を前記複数のＬＥＤを点灯させる駆動電力に変換して前記発光部に供給する電源部と、
外部の他の装置に接続され、前記外部から供給される電力を当該装置に供給する渡り配線と、
前記本体部の照明光を出射する側に開口して設けられ、前記渡り配線を収納可能であり、前記反射板によってその開口が覆われる収納部と、
を備えることを特徴とするＬＥＤ照明器具。
【請求項３】
前記電源部が前記収納部に収納されることを特徴とする請求項１または請求項２に記載のＬＥＤ照明器具。
【発明の詳細な説明】
【技術分野】
【０００１】
本発明は、天井または壁の取付面に取り付けられる長尺状のＬＥＤ照明器具であり、複数の発光ダイオードが長手方向に沿って列状に配置されるＬＥＤ照明器具に関するものである。
【背景技術】
【０００２】
従来、鉄道車内の照明器具などとして用いられる長尺状のＬＥＤ照明器具が知られている。例えば、特許文献１には、ＬＥＤからの光を被照射面とは反対側に設けられた反射板で反射させて、被照射面を間接的に照射する間接照明式のＬＥＤ照明器具が開示されている。
【先行技術文献】
【特許文献】
【０００３】
【特許文献１】特開２０１２−２５６５７０号公報
【発明の概要】
【発明が解決しようとする課題】
【０００４】
特許文献１に開示された間接照明式のＬＥＤ照明器具には、外部から供給される電力を、ＬＥＤを点灯させる駆動電力に変換する電源装置や、当該電源装置に電力を供給する配線が、器具の天井側に設けられた収納部や天井内に設けられていた。そのため、電源装置や配線のメンテナンスを行う時にはＬＥＤ照明器具を天井から取り外す必要があった。
【０００５】
一方、天井内に収納された電源装置や配線について、ＬＥＤ照明器具を天井から取り外さずにメンテナンスを可能とするためには、ＬＥＤ照明器具に点検口を設けたり、車両天井に点検用ハッチを設けたりして、天井内に設けられた電源装置や配線を操作可能にする必要があった。このように、特許文献１のＬＥＤ照明器具の電源装置や配線はメンテナンス性が悪いという問題があった。
【０００６】
このようなＬＥＤ照明器具は、多数の器具が一列に並べて配置され、各照明器具の間を電気的につなぐ渡り配線が設けられる場合が多い。この渡り配線もまた一般に美観に配慮して天井内に設けられる。渡り配線は、ひとつのＬＥＤ照明器具だけではなく、隣接するＬＥＤ照明器具の配線とも接続されているため、従来のＬＥＤ照明器具によれば、渡り配線にトラブルが生じた場合には、ＬＥＤ照明器具を天井から取り外したうえに渡り配線の接続を解除しなければメンテナンスができないといった事態が生じて、著しく多くの作業時間を必要とする虞があった。
【０００７】
本発明の目的は、間接照明式であって、美観を損なうことなく渡り配線のメンテナンス性に優れたＬＥＤ照明器具を提供することにある。
【課題を解決するための手段】
【０００８】
本発明は、天井または壁の取付面に取り付けられる長尺状のＬＥＤ照明器具であり、複数のＬＥＤが長手方向に沿って列状に配置されるＬＥＤ照明器具であって、湾曲形状をなす端部形状が一端側から他端側まで連続して形成され、着脱可能に設けられた反射板を有する本体部と、複数のＬＥＤが実装される基板を備え、前記ＬＥＤが反射板に向けて照明光を出射する発光部と、外部から供給される電力を複数のＬＥＤを点灯させる駆動電力に変換して発光部に供給する電源部と、外部の他の装置に接続され、外部から供給される電力を当該装置に供給する渡り配線と、本体部の照明光を出射する側に開口して設けられ、渡り配線を収納可能であり、反射板によってその開口が覆われる収納部と、を備えるＬＥＤ照明装置である。
【０００９】
本発明のＬＥＤ照明器具によると、反射板を取り外したときに、渡り配線を収納する収納部が下方に向けて露出する。したがって、反射板を取り外すことにより、ＬＥＤ照明器具が取付面に取付けられた状態のままで渡り配線の着脱や調整を行うことが可能となる。本体部を取付面から取り外す必要がないため、メンテナンスに要する時間と手間を節約することができる。
【００１０】
また、本発明のＬＥＤ照明器具は、天井または壁の取付面に取り付けられる長尺状のＬＥＤ照明器具であり、複数のＬＥＤが長手方向に沿って列状に配置されるＬＥＤ照明器具であって、湾曲形状をなす端部形状が一端側から他端側まで連続して形成されて長手方向に沿って２列に並んで取付面の反対側に向けて少なくとも一方が着脱可能に設けられた反射板を有する本体部と、複数のＬＥＤが実装される基板を複数備え、これらの基板のうち、一部の基板のＬＥＤが２列の反射板の一方に向けて照明光を出射し、残部の基板のＬＥＤが２列の反射板の他方に向けて照明光を出射する発光部と、外部から供給される電力を複数のＬＥＤを点灯させる駆動電力に変換して発光部に供給する電源部と、外部の他の装置に接続され、外部から供給される電力を当該装置に供給する渡り配線と、本体部の照明光を出射する側に開口して設けられ、渡り配線を収納可能であり、反射板によってその開口が覆われる収納部と、を備えるものであってもよい。
【００１１】
本構成によると、ＬＥＤ照明器具の中央部に光源部が設けられ、その両側に反射板が設けられている場合でも、反射板を取り外すことにより、ＬＥＤ照明器具が取付面に取付けられた状態のままで渡り配線の着脱や調整を行うことが可能であり、本体部を取付面から取り外す必要がないため、メンテナンスに要する時間と手間を節約することができる。
【００１２】
また、本発明のＬＥＤ照明器具は、電源部が収納部に収納されるものであってもよい。
【００１３】
本構成によると、反射板を取り外すことにより、容易に収納部に収納された電源部に対するメンテナンス等の作業を行うことができるので、ＬＥＤ照明装置のメンテナンス性をさらに優れたものとすることができる。
【発明の効果】
【００１４】
本発明によれば、美観を損なうことがないよう、渡り配線を内部に収納するとともに、メンテナンス時であっても天井または壁から取り外す必要がなく、渡り配線のメンテナンス性に優れたＬＥＤ照明器具を提供することができる。
【図面の簡単な説明】
【００１５】
【図１】本発明の一実施形態に係るＬＥＤ照明器具を示す斜視図である。
【図２】図１に示すＩＩ−ＩＩ線による断面図である。
【発明を実施するための形態】
【００１６】
以下、本発明のＬＥＤ照明器具の一実施形態について、各図に基づいて説明する。図１は、ＬＥＤ照明器具１０の構成を示す斜視図である。図２は、図１に示すＩＩ−ＩＩ線による断面図である。
【００１７】
図１に示すように、本実施形態のＬＥＤ照明器具１０は、本体ケース２０に設けられた発光部（後述する）から放射した光を、反射板３０及び４０によって反射して照明する間接照明器具である。ＬＥＤ照明器具１０は、例えば、鉄道車両の客室内の天井の取付面１００に取り付けられて使用される。図１には単体のＬＥＤ照明器具１０を図示しているが、鉄道車両等では、複数のＬＥＤ照明器具１０の相互の端部が接するように、長手方向に連続的に設けられる。
【００１８】
図２に示すように、ＬＥＤ照明器具１０は、本体ケース２０、反射板３０、４０、発光部５０、透光性カバー６０、電源部８０、渡り配線９０等により構成されている。なお、本明細書では、図１〜２に示す座標軸表示におけるＸ軸方向を「短手方向」、またＹ軸方向を「長手方向」、さらにＺ軸方向を「高さ方向」とそれぞれ称する場合があるので注意されたい。
【００１９】
本体ケース２０は、例えばアルミニウム等の不燃性や熱伝導性の点で良好な金属材からなり、中央部２１、放熱フィン２３、開口部２０ａ、収納部４５等が押出加工により長尺状に一体に形成されている。なお、本体ケース２０が、本発明の本体部に相当する。
【００２０】
本体ケース２０の短手方向の中央には、厚板状に形成される中央部２１が位置している。この中央部２１には長手方向に沿って貫通孔が複数箇所に形成されている。これらの貫通孔にボルト１０３が通り、それが車両側取付金具１０１にねじ締結されることによって、ＬＥＤ照明器具１０が車両側取付金具に固定される。車両側取付金具１０１は天井に架設される鉄道車両の構造体である。
【００２１】
放熱フィン２３は、中央部２１から高さ方向下側に垂下するように形成されている。放熱フィン２３は、後述する発光部５０が発する熱を外部空間に逃すための放熱装置で、本実施形態では４つ設けられている。これらの放熱フィン２３は、ＬＥＤ照明器具１０の短手方向中央で長手方向に複数の線条に延びることにより印象的なデザインを構成する機能も有する。また、取付面１００に取り付けられたＬＥＤ照明器具１０を乗客が斜め下方から見上げた場合、これらの放熱フィン２３が当該乗客の視線を遮ることによってボルト１０３を見え難くしている。
【００２２】
開口部２０ａは、図２における中央部２１の右側に、取付面１００の反対方向に向けて開口するように長手方向に連続して形成されている。開口部２０ａは、段違いの２つの平坦部（内側平坦部と外側平坦部）と、これらの平坦部を繋ぐ曲面部とにより構成されている。曲面部の曲面形状は、後述する反射板３０の湾曲形状に適合可能に設定されている。
【００２３】
収納部４５は、図２における中央部２１の左側に、取付面１００の反対方向に向けて開口するように長手方向に連続して形成されている。本実施形態では、収納部４５の断面は、開口部を下側に向けたコの字状をしている。
【００２４】
反射板３０、４０は、本体ケースとほぼ同じ長さを有し、短手方向に湾曲する薄板状に形成されている。これらの反射板３０、４０も、本体ケース２０と同様に、例えばアルミニウムからなり、図２に示す断面形状が押出加工等により一端側から他端側まで連続して形成されている。
【００２５】
また、反射板３０，４０は、各々本体ケース２０の反射板取付部２０ａ及び収納部４５の開口を覆うように取り付けられて、発光部５０から出射される照明光を反射して客室内を照明する。反射板４０は、図２に示すように、反射光を所定範囲に向けて照射するために、その断面形状が客室方向に向けて凹形状をなすように湾曲する湾曲部を有する。反射板３０，４０は、ネジ（図示しない）により本体ケース２０に対して着脱可能に取り付けられる。
【００２６】
収納部４５には、電源部８０と渡り配線９０が収納されている。渡り配線９０は、図略の中継コネクタを介して他のＬＥＤ照明装置１０に接続されている。相互に接続された渡り配線９０を介して、長手方向に連なって設置された複数のＬＥＤ照明装置１０に対し、車両の電源から電力が供給される。電源部８０と渡り配線９０とは電気的に接続されており、電源部８０は、渡り配線９０から給電される直流１００ＶをＬＥＤの駆動に適した電圧に降圧する。発光部５０には、電源部８０を介して駆動電源が供給されている。反射板４０が収納部４５の開口部を覆うので、通常時は、電源部８０と渡り配線９０とは外観上、客室内には露呈しない。
【００２７】
発光部５０は、短冊形状をなすＬＥＤ基板５１と、このＬＥＤ基板５１の長手方向に沿って列状に実装される複数のＬＥＤ５３とから構成されている。本実施形態では、複数のＬＥＤ基板５１が電気的に並列に接続されており、駆動電源がそれぞれに供給されている。ＬＥＤ基板５１には、ＬＥＤ電源部８０から供給される駆動電力をこれらのＬＥＤチップ５３に給電可能な配線が形成されている。なお、ＬＥＤ基板５１が、本発明の基板に相当する。
【００２８】
この発光部５０は、中央部２１から見て、反射板３０側および反射板４０側のいずれにも設けられている。反射板３０側の発光部５０は、反射板３０の短手方向内側端部から斜めに湾曲部の短手方向ほぼ中央に入射するように、また、反射板４０側の発光部５０は、反射板４０の短手方向内側端部から斜めに湾曲部の短手方向ほぼ中央に入射するように、それぞれ本体ケース２０に固定されている。
【００２９】
透光性カバー６０は、本体ケース２０とほぼ同じ長さの短冊状の形成されたガラス板６１に同じく短冊状に形成された拡散シート６２を貼付したもので、発光部５０の短手方向開口部を覆うものである。この透光性カバー６０は、反射板３０側および反射板４０側のいずれの発光部５０にも取り付けられている。
【００３０】
次に本実施形態によって把握される作用・効果について記述する。
本実施形態のＬＥＤ照明器具１０では、本体ケース２０のＸ軸根元側に、取付面１００の反対方向に向けて開口するように収納部４５を形成する。そして、収納部４５に電源部８０および渡り配線９０を収納する。さらに、収納部４５の開口を塞ぐように反射板４０を取り付ける。これにより、以下のような作用効果が得られる。
【００３１】
即ち、反射板４０を取り外すことにより、収納部４５がＬＥＤ照明器具１０の外部に露出し、よって、収納部４５に収納されているＬＥＤ電源装置８０および渡り配線９０もＬＥＤ照明器具１０の外部に露出する。したがって、ＬＥＤ照明器具１０を天井の取付面１００から取り外すことなく電源部８０と渡り配線９０にアクセスすることができ、修理や交換等の作業を行うことができる。電源部８０または渡り配線９０のいずれか一方のみが収納部４５に収納されている場合と比較すると、電源まわりの確認や修理を一括して行うことが可能になるので、作業効率が大幅に向上する。したがって、ＬＥＤ電源装置８０と渡り配線９０のメンテナンス性を優れたものにすることができる。
【００３２】
なお、本発明は、上記の実施形態に限定されるものではなく、様々な別形態の実施が可能である。
・上記の実施形態では、収納部４５を本体ケース２０のＸ軸根元側に１箇所のみを設けたものを示したが、収納部４５をＸ軸矢印側およびＸ軸根元側の両方に設けたものであってもよい。
・上記の実施形態では、反射板４０をネジで取り付けるものを示したが、反射板４０は、他の接合手段や係止手段で取り付けられていてもよい。例えば、本体ケース２０に設けられた係止部に対して反射板４０を引掛けて固定する構造としてもよい。
【００３３】
以上、本発明の具体例を詳細に説明したが、これらは例示にすぎず、特許請求の範囲を限定するものではない。特許請求の範囲に記載の技術には以上に例示した具体例を様々に変形、変更したものが含まれる。なお、[符号の説明]の欄における括弧内の記載は、上述した各実施形態で用いた用語と、特許請求に記載の用語との対応関係を明示するものである。
【符号の説明】
【００３４】
１０・・・ＬＥＤ照明器具
２０・・・本体ケース（本体部）
２０ａ・・・開口部
２１・・・中央部
２３・・・放熱フィン
３０、４０・・・反射板
４５・・・収納部
５０・・・発光部
５１・・・ＬＥＤ列部（基板）
５３・・・ＬＥＤ
６０・・・透光性カバー
６１・・・ガラス板
６２・・・拡散シート
８０・・・電源部
９０・・・渡り配線
１００・・・取付面
１０１・・・車両側取付金具
１０３・・・ボルト
【図１】
2016033858.tif 000003
【図２】
2016033858.tif 000004